(57)【特許請求の範囲】
【請求項１】
プラグ差し込み口が取り付けられる開口窓が設けられた板状部と、前記板状部の板面に突設され、前記開口窓の前記板面側の領域の三方を囲むガイドレールと、を含むコンセント取り付け板と、
前記ガイドレールに対してスライド自在に支持され、前記開口窓の前記板面側の領域の三方で前記ガイドレールに接触して前記開口窓側を覆う中空のコンセントカバーと、を有し、
前記ガイドレールは、前記板面と隙間を空けて前記コンセント取り付け板の外方に向かって延長されたつば部を含み、
前記ガイドレールに接触する前記コンセントカバーの縁部は、前記コンセントカバーの内方に向かって延長されており、
前記コンセントカバーの縁部は、前記板面と前記つば部との間に配置され、
前記コンセント取り付け板には、前記コンセント取り付け板に前記プラグ差し込み口を固定するためのネジ孔が設けられ、
前記つば部には切り欠き部が設けられ、前記切り欠き部は前記ネジ孔に整合する位置に配置され、
前記開口窓の前記板面側の領域の三方で前記ガイドレールに接触した前記コンセントカバーが前記ネジ孔を覆う、
ことを特徴とするコンセントカバー装置。
【請求項２】
請求項１のコンセントカバー装置であって、
前記ガイドレールは、前記開口窓の一方の周縁部外方側に配置された湾曲部と、前記湾曲部から延長され、前記開口窓の他の二方の周縁部外方側にそれぞれ配置された延長部とを含み、
前記コンセントカバーは、前記延長部にスライド自在に支持される、
ことを特徴とするコンセントカバー装置。
【請求項３】
請求項２のコンセントカバー装置であって、
前記ガイドレールは、前記開口窓の前記板面側の領域の三方を囲む略Ｕ字型のレールである、
ことを特徴とするコンセントカバー装置。
【発明の詳細な説明】
【技術分野】
【０００１】
本発明は、コンセントのプラグ差し込み口側に装着されるコンセントカバー装置およびコンセント取り付け板に関する。
【背景技術】
【０００２】
埃の侵入に基づくトラッキング現象等を防止するためにコンセントのプラグ差し込み口側をカバーで覆う技術が提案されている。例えば特許文献１には、上下２か所の接着層を介してコンセントの化粧板に補助板を接着し、この補助板の両側にスライド可能に嵌合する箱型のカバーでプラグ差し込み口側を覆う技術が開示されている（特許文献１の図１，２等参照）。
【先行技術文献】
【特許文献】
【０００３】
【特許文献１】特開平１０−２８４１６２号公報
【発明の概要】
【発明が解決しようとする課題】
【０００４】
特許文献１に開示された構成では、化粧板と補助板とが２か所の接着層のみによって接着され、化粧板と補助板との間にカバーの縁部がスライド可能に配置される（特許文献１の図３等参照）。この構成の場合、化粧板と補助板との間隔が広すぎると、補助板に装着されたカバーと化粧板や補助板との間に隙間ができ、その隙間からプラグ差し込み口側に埃が侵入してしまう。このような問題を軽減するために化粧板と補助板との間隔を狭くすると、カバーの補助板への装着が困難となってしまう。すなわち、特許文献１に開示された構成では、容易にプラグ差し込み口側への埃の侵入を減少させることができない。
【０００５】
本発明はこのような点に鑑みてなされたものであり、プラグ差し込み口側への埃の侵入を容易に減少させることが可能な技術を提供することを目的とする。
【課題を解決するための手段】
【０００６】
本発明のコンセントカバー装置は、プラグ差し込み口が取り付けられる開口窓が設けられた板状部と、当該板状部の板面に突設され、当該開口窓の当該板面側の領域の三方を囲むガイドレールと、を含むコンセント取り付け板と、当該ガイドレールに対してスライド自在に支持され、当該開口窓の前記板面側の領域の三方でガイドレールに接触して開口窓側を覆う中空のコンセントカバーとを有する。
【発明の効果】
【０００７】
本発明では、ガイドレールが開口窓の三方を囲むため、プラグ差し込み口側への埃の侵入を容易に減少させることができる。
【図面の簡単な説明】
【０００８】
【図１】図１Ａは実施形態のコンセント取り付け板の正面図を例示し、図１Ｂは実施形態のコンセント取り付け板の背面図を例示し、図１Ｃは実施形態のコンセント取り付け板の側面図を例示し、図１Ｄは実施形態のコンセント取り付け板の上面図を例示し、図１Ｅは図１Ａの１Ｅ−１Ｅ断面図を示し、図１Ｆは図１Ａの１Ｆ−１Ｆ断面図を示す。
【図２】図２Ａは実施形態のコンセントカバーの正面図を例示し、図２Ｂは実施形態のコンセントカバーの背面図を例示し、図２Ｃは実施形態のコンセントカバーの左側面図を例示し、図２Ｄは図２Ａの２Ｄ−２Ｄ断面図を示し、図２Ｅは図２Ａの２Ｅ−２Ｅ断面図を示す。
【図３】図３は、実施形態のコンセント取り付け板およびコンセントカバーの正面図、ならびにこれらが装着されるコンセントを例示した斜視図である。
【図４】図４Ａおよび図４Ｂは、実施形態のコンセントカバーがコンセント取り付け板に装着される様子を例示した平面図であり、図４Ｃは図４Ｂの４Ｃ−４Ｃ断面図であり、図４Ｄは図４Ｂの４Ｄ−４Ｄ断面図である。ただし、図４Ａ〜図４Ｄではコンセント取り付け板に取り付けられるコンセントを省略してある。
【図５】図５は、実施形態のコンセントカバーがコンセントに取り付けられたコンセント取り付け板に装着される様子を例示した斜視図である。
【発明を実施するための形態】
【０００９】
以下、図面を参照して本発明の実施形態を説明する。
本形態のコンセントカバー装置は、図１Ａ〜図１Ｆに例示するコンセント取り付け板１０と、図２Ａ〜図２Ｅに例示するコンセントカバー２０とを有し、図３，図４Ａ，図４Ｂ，図５に例示するようにコンセント３０に取り付けられる。
【００１０】
＜コンセント取り付け板１０＞
本形態のコンセント取り付け板１０は、コンセント３０のプラグ差し込み口３１が取り付けられる開口窓１１ａが設けられた板状部１１と、板状部１１の一方の板面１１ｈに突設され、開口窓１１ａの板面１１ｈ側の領域（開口窓１１ａの板面１１ｈ側の開口部に面した領域）の三方（板面１１ｈに沿った四方のうちの三方）を囲むガイドレール１２と、を含む（図１Ａ〜図１Ｆ，図３）。
【００１１】
本形態の板状部１１は、中央部に略矩形（例えば矩形）に開口した開口窓１１ａ（貫通孔）が設けられた略矩形の枠体である。板状部１１には、さらにコンセント３０のプラグ差し込み口３１をコンセント取り付け板１０に固定するための２個の略円形（例えば円形）に開口したネジ孔１１ｆ，１１ｇ（貫通孔）が設けられている。板状部１１の裏面１１ｉ（板面１１ｈの裏面）の外周縁には外周縁壁部１１ｊが突設され、外周縁壁部１１ｊは板状部１１の裏面１１ｉ側の領域（開口窓１１ａおよびネジ孔１１ｆ，１１ｇの裏面１１ｉ側の開口部に面した領域）を囲んでいる。開口窓１１ａおよびネジ孔１１ｆ，１１ｇの形状および位置は、コンセント３０の構成に対応する。コンセント３０の構成は、業界標準（標準規格やデファクトスタンダード等）に準拠している。業界標準に準拠したコンセント３０は、通常、２個の略円形（例えば円形）のネジ孔３２ｆ，３２ｇが設けられた支持板３２と、当該支持板３２に固定された略直方体形状のプラグ差し込み口３１とを含む（図３）。ネジ孔３２ｆ，３２ｇは、支持板３２の両端にそれぞれ設けられた貫通孔であり、プラグ差し込み口３１はネジ孔３２ｆ，３２ｇの間に配置される。プラグ差し込み口３１の一つの矩形面３１ａには複数個のプラグ差し込み孔３１ｂが設けられており、この矩形面３１ａ側が支持板３２から突出している。このようなコンセント３０に対応する開口窓１１ａは、裏面１１ｉ側からプラグ差し込み口３１の矩形面３１ａ側が挿入可能な形状に形成されている。また、ネジ孔１１ｆ，１１ｇは、プラグ差し込み口３１の矩形面３１ａ側が裏面１１ｉ側から開口窓１１ａに挿入された際に、ネジ孔３２ｆ，３２ｇにそれぞれ整合する位置（ネジ孔１１ｆの軸心がネジ孔３２ｆの軸心にほぼ一致し、ネジ孔１１ｇの軸心がネジ孔３２ｇの軸心にほぼ一致する位置）に形成されている。
【００１２】
本形態のガイドレール１２は、開口窓１１ａの一方の周縁部１１ａａ外方側に配置された湾曲部１２ｃと、湾曲部１２ｃから延長され、開口窓１１ａの他の二方の周縁部１１ａｂ，１１ａｃ外方側にそれぞれ配置された延長部１２ｄ，１２ｅとを含む。例えば、湾曲部１２ｃは開口窓１１ａ側を中心とした円弧状に形成され、延長部１２ｄ，１２ｅは互いに略平行（例えば平行）に配置されている。例えば、本形態のガイドレール１２は、開口窓１１ａの板面１１ｈ側の領域の三方を囲む略Ｕ字型（例えばＵ字型）のレールである。この例での「三方」とは、開口窓１１ａに対する、周縁部１１ａａ方向、周縁部１１ａｂ方向、および周縁部１１ａｃ方向である。なお、周縁部１１ａａは、周縁部１１ａｂおよび周縁部１１ａｃに対して略直角（例えば、直角）であり、周縁部１１ａｂおよび周縁部１１ａｃは互いに略平行（例えば、平行）である。本形態の湾曲部１２ｃはネジ孔１１ｆ側に設けられ、延長部１２ｄ，１２ｅは周縁部１１ａｂ，１１ａｃに沿って配置されている。なお、コンセント３０にコンセント取り付け板１０が装着された際、プラグ差し込み口３１の上方にネジ孔１１ｆが配置され、下方にネジ孔１１ｇに配置される。すなわち、コンセント３０にコンセント取り付け板１０が装着された際、プラグ差し込み口３１の上側に湾曲部１２ｃが配置され、プラグ差し込み口３１の両側に延長部１２ｄ，１２ｅが配置される。
【００１３】
本形態のガイドレール１２は、板面１１ｈと隙間を空けてコンセント取り付け板１０の外方に向かって（板面１１ｈに沿って開口窓１１ａの外方に向かって）延長されたつば部１２ａを含む。本形態のつば部１２ａは、ガイドレール１２の全域にわたって外方に向かって設けられている。例えば、ガイドレール１２は、板面１１ｈに突設されて開口窓１１ａの板面１１ｈ側の領域の三方を囲む壁部１２ｂと、壁部１２ｂから板面１１ｈに沿ってコンセント取り付け板１０の外方に向かって板状に延長されたつば部１２ａとを有する。例えば、壁部１２ｂは、開口窓１１ａの板面１１ｈ側の領域の三方を囲む略Ｕ字型に配置され、つば部１２ａは、壁部１２ｂに沿った略Ｕ字型に構成されている。例えば、板面１１ｈと壁部１２ｂとは略直交し、壁部１２ｂとつば部１２ａとは略直交している。この場合、つば部１２ａは板面１１ｈと略平行な略Ｕ字型であり、ガイドレール１２の１Ｅ−１Ｅ断面形状および１Ｆ−１Ｆ断面形状はともに略Ｌ字型（例えばＬ字型）である（図１Ｅおよび図１Ｆ）。本形態のガイドレール１２は、開口窓１１ａよりも外側かつ板状部１１の外縁１１ｂよりも内側に配置されている。例えば、略Ｕ字型の壁部１２ｂが開口窓１１ａよりも外側かつ板状部１１の外縁１１ｂよりも内側に配置され、略Ｕ字型に配置されたつば部１２ａが開口窓１１ａよりも外側かつ板状部１１の外縁１１ｂよりも内側に配置されている（図１Ａ，図１Ｃ，図１Ｄ）。板状部１１のネジ孔１１ｆは、ガイドレール１２の湾曲部１２ｃの近傍に位置する。ガイドレール１２の湾曲部１２ｃのつば部１２ａの一部には、切り欠き部１２ｃａが設けられている。切り欠き部１２ｃａは、つば部１２ａの一部がネジ孔１１ｆ上に配置されることを避けるためのものであり、ネジ孔１１ｆに整合する位置（位置合わせされた位置）に配置されている。この切り欠き部１２ｃａによって、つば部１２ａがネジ孔１１ｆまたはその一部を覆うことを避けることができる。この目的を達成できるのであれば、切り欠き部１２ｃａの形状および大きさに限定はない。本形態では円弧状の切り欠き部１２ｃａがネジ孔１１ｆの外周に沿った位置に設けられた例を示す（図１Ａ）。この例では、円周上に切り欠き部１２ｃａを配置した仮想的な円の軸心と、ネジ孔１１ｆの軸心とがほぼ一致する。この例の切り欠き部１２ｃａは、湾曲部１２ｃのつば部１２ａの辺縁部のみに設けられているため、湾曲部１２ｃの全域にわたってつば部１２ａが存在する。
【００１４】
本形態のコンセント取り付け板１０は一体である。すなわち、板状部１１およびガイドレール１２は一体である。このようなコンセント取り付け板１０は、例えば、プラスチック等の合成樹脂等を用いて一体成型されたものである。
【００１５】
＜コンセントカバー２０＞
コンセントカバー２０は、ガイドレール１２に対して着脱可能な中空の部材である。コンセントカバー２０は、ガイドレール１２に対してスライド自在に支持され、開口窓１１ａの板面１１ｈ側の領域の三方でガイドレール１２に接触して開口窓１１ａ側を覆う（図２Ａ〜図２Ｅ，図３，図４Ｂ）。
【００１６】
コンセントカバー２０は、仮想的な円筒側面の一部をなす曲面状の側面部２１と、側面部２１の軸心方向（方向Ｏ）の一端側に設けられた平面状の傾斜部２１ａと、傾斜部２１ａの先端側から当該軸心方向の他端方向に向かって延長された平面状の縁部２２ｃと、側面部２１の両辺縁部から軸心方向に直交する方向に向かって延長された板状の縁部２２ｄ，２２ｅとを有する。縁部２２ｃ，２２ｄ，２２ｅは、仮想的な同一平面状に配置され、コンセントカバー２０の内方に向かって延長されている。縁部２２ｃ，２２ｄ，２２ｅの辺縁部２２ｃａ，２２ｄａ，２２ｅａは略Ｕ字型に配置され、ガイドレール１２の壁部１２ｂの外周にほぼ一致する。これにより、コンセントカバー２０がコンセント取り付け板１０に装着された際、辺縁部２２ｃａ，２２ｄａ，２２ｅａがガイドレール１２の壁部１２ｂの外周に沿って（例えば接触して）配置される。また、コンセントカバー２０の軸心方向の他端側は開放端２１ｂである。
【００１７】
本形態のコンセントカバー２０は一体であり、例えば、プラスチック等の合成樹脂等を用いて一体成型されたものである。
【００１８】
＜コンセントカバー装置の取り付け方法＞
壁等に固定されたコンセント３０のプラグ差し込み口３１の矩形面３１ａ側が、コンセント取り付け板１０の裏面１１ｉ側から開口窓１１ａに挿入され、板面１１ｈ側からネジ孔１１ｆ，３２ｆおよびネジ孔１１ｇ，３２ｇにそれぞれネジが挿入され、ネジ止めされる。このように取り付けられたプラグ差し込み口３１の矩形面３１ａは、開口窓１１ａから外部に露出している（図５）。なお、コンセント取り付け板１０は、ガイドレール１２の湾曲部１２ｃ側（ネジ孔１１ｆ側）が上になり、延長部１２ｄ，１２ｅ側（ネジ孔１１ｇ側）が下になるようにコンセント３０に取り付けられる。コンセント取り付け板１０が取り付けられたプラグ差し込み口３１のプラグ差し込み孔３１ｂには、電子機器等のプラグが挿入可能である。コンセントカバー２０は、プラグがプラグ差し込み孔３１ｂに挿入されていない状態、またはプラグがプラグ差し込み孔３１ｂに挿入された状態で、コンセント取り付け板１０に装着可能である（図３，図４Ａ〜図４Ｄ，図５）。
【００１９】
コンセント取り付け板１０にコンセントカバー２０を装着する場合、コンセントカバー２０の開放端２１ｂをコンセント取り付け板１０のガイドレール１２の湾曲部１２ｃの外周側に対向させ、コンセントカバー２０を湾曲部１２ｃ側からガイドレール１２に沿って開放端２１ｂ方向（方向Ｏの一方向である方向Ａ、すなわち下方向）にスライドさせる（図４Ａ，図４Ｂ，図５）。これによって、コンセントカバー２０の縁部２２ｄ，２２ｅがガイドレール１２の延長部１２ｄ，１２ｅにそれぞれスライド自在に支持された状態となる。この状態では、縁部２２ｄが板面１１ｈと延長部１２ｄ側のつば部１２ａとの間に配置され、縁部２２ｅが板面１１ｈと延長部１２ｅ側のつば部１２ａとの間に配置される。さらにコンセントカバー２０を開放端２１ｂ方向に向かってスライドさせると、コンセントカバー２０の縁部２２ｃがガイドレール１２の湾曲部１２ｃに達する。これによってコンセントカバー２０は、開口窓１１ａの板面側１１ｈの領域の三方でガイドレール１２に接触した状態となる。この状態では、縁部２２ｃが板面１１ｈと湾曲部１２ｃ側のつば部１２ａとの間に配置され、縁部２２ｄが板面１１ｈと延長部１２ｄ側のつば部１２ａとの間に配置され、縁部２２ｅが板面１１ｈと延長部１２ｅ側のつば部１２ａとの間に配置される。すなわち、縁部２２ｃがガイドレール１２の湾曲部１２ｃに接触し、縁部２２ｄが延長部１２ｄに接触し、縁部２２ｅが延長部１２ｅに接触し、縁部２２ｃ，２２ｄ，２２ｅの辺縁部２２ｃａ，２２ｄａ，２２ｅａがガイドレール１２の壁部１２ｂの外周に沿って（例えば接触して）配置される（図４Ｂ，図４Ｃおよび図４Ｄ）。この状態では、開放端２１ｂを下方に向けたコンセントカバー２０が、開口窓１１ａの板面１１ｈ側の領域の三方でガイドレール１２に接触し、開口窓１１ａ側を覆っている。すなわち、開口窓１１ａの板面１１ｈ側の開口部がコンセントカバー２０の内部に収容されている。またこの状態では、コンセントカバー２０がネジ孔１１ｆを覆い隠している。すなわち、開口窓１１ａの板面１１ｈ側の領域の三方でガイドレール１２に接触したコンセントカバー２０がネジ孔１１ｆを覆っている（図４Ｂ）。さらに、開口窓１１ａの板面１１ｈ側の領域の残りの一方、すなわち開放端２１ｂ側は開放されている。プラグがプラグ差し込み孔３１ｂに挿入された状態でコンセントカバー２０がコンセント取り付け板１０に装着された場合、このプラグに接続されたケーブルが開放端２１ｂから引き出される。
【００２０】
＜本形態の特徴＞
本形態では、コンセント取り付け板１０の板状部１１に突設されたガイドレール１２が開口窓１１ａの三方を囲み、中空のコンセントカバー２０が開口窓１１ａの三方でガイドレール１２に接触して開口窓１１ａ側を覆うため、開口窓１１ａに取り付けられるプラグ差し込み口３１側への埃の侵入を容易に減少させることができる。
【００２１】
本形態では、開口窓１１ａよりも外側かつ板状部１１の外縁１１ｂよりも内側にガイドレール１２が配置されている。そのため、コンセントカバー２０の大きさを、特許文献１に記載されたカバーよりも小さくできる。
【００２２】
本形態のガイドレール１２は、開口窓１１ａの一方の周縁部１１ａａ側に配置された湾曲部１２ｃと、湾曲部１２ｃから延長され、開口窓１１ａの他の二方の周縁部１１ａｂ，１１ａｃ側にそれぞれ配置された延長部１２ｄ，１２ｅとを含む。例えば、本形態のガイドレール１２は開口窓１１ａの三方を囲む略Ｕ字型のレールである。この構成により、ガイドレール１２の湾曲部１２ｃ側からコンセントカバー２０を容易に装着することが可能となっている。
【００２３】
本形態のガイドレール１２は、板面１１ｈと隙間を空けてコンセント取り付け板１０の外方に向かって延長されたつば部１２ａを含み、ガイドレール１２に接触するコンセントカバー２０の縁部２２ｃ〜２２ｅは、コンセントカバー２０の内方に向かって延長されており、コンセントカバー２０の縁部２２ｃ〜２２ｅは、板面１１ｈとつば部１２ａとの間に配置される。これにより、プラグ差し込み口３１側への埃の侵入をより減少させることができる。
【００２４】
本形態のコンセント取り付け板１０には、コンセント取り付け板１０にプラグ差し込み口３１を固定するためのネジ孔１１ｆが設けられ、開口窓１１ａの三方でガイドレール１２に接触したコンセントカバー２０がネジ孔１１ｆを覆う。これにより、ネジ孔１１ｆを隠すことができる。特に、本形態ではガイドレール１２のつば部１２ａに切り欠き部１２ｃａを設け、切り欠き部１２ｃａに整合する位置にネジ穴１１を設けた。これにより、ネジ穴１１をガイドレール１２に近接させることができ、コンセントカバー２０を大型化することなく、コンセントカバー２０でネジ孔１１ｆを隠すことができる。さらに図１Ａ等の例では、湾曲部１２ｃのつば部１２ａの辺縁部のみに切り欠き部１２ｃａが設けられ、湾曲部１２ｃの全域にわたってつば部１２ａ存在するため、湾曲部１２ｃ側から開口窓１１ａ側への埃の侵入を十分に防止できる。
【００２５】
＜変形例等＞
本発明は上述の実施形態に限定されない。例えば、開口窓１１ａの形状は矩形に限定されず、プラグ差し込み口の形状に応じたその他の形状（楕円、円形、台形等）であってもよい。また、本形態では略Ｕ字型のガイドレール１２を図示したが、ガイドレール１２がその他の形状であってもよい。例えば、延長部１２ｄ，１２ｅが互いに略平行でなくてもよい。例えば、先端部に向かうほど延長部１２ｄ，１２ｅが開口窓１１ａから離れていてもよい。また、延長部１２ｄ，１２ｅの先端部が開口窓１１ａ側に向かって湾曲していたり、折れ曲がっていたりしてもよい。逆に、延長部１２ｄ，１２ｅの先端部が開口窓１１ａから離れる方向に湾曲していたり、折れ曲がっていたりしてもよい。或いは、延長部１２ｄ，１２ｅが先端側に近づくほど互いに離れていく形状であってもよい。開口窓１１ａの板面１１ｈ側の領域の三方を囲んでいるのであれば、ガイドレール１２がさらに当該領域の残りの一方をも囲んでいてもよい。すなわち、ガイドレール１２が当該領域の四方を囲んでいてもよい。つまり、「開口窓の板面側の領域の三方を囲むガイドレール」は、当該領域の三方を囲み、残り一方を囲んでいないものであってもよいし、当該領域の四方すべてを囲むものであってもよい。また、コンセントカバー２０の形状は上記の実施形態のものに限定されない。例えば、側面部２１が仮想的な多角筒側面の一部をなす形状に形成されてもよいし、傾斜部２１ａが設けられなくてもよい。また延長部１２ｄ，１２ｅが先端側に近づくほど互いに離れていく形状である場合には、それに対応するように、縁部２２ｄ，２２ｅが開放端２１ｂ側に近づくほど互いに離れていく形状とされる。
【符号の説明】
【００２６】
１０  コンセント取り付け板
１１  板状部
１１ａ  開口窓
１１ｆ，１１ｇ  ネジ孔
１１ｈ  板面
１２  ガイドレール
１２ａ  つば部
１２ｂ  壁部
１２ｃ  湾曲部
１２ｄ，１２ｅ  延長部
２０  コンセントカバー
２１  側面部
２１ｂ  開放端
２２ｃ，２２ｄ，２２ｅ  縁部
３０  コンセント
３１  プラグ差し込み口
３１ａ  矩形面
３２ｆ，３２ｇ  ネジ孔
【図１】
0005542904.tif 000002
【図２】
0005542904.tif 000003
【図３】
0005542904.tif 000004
【図４】
0005542904.tif 000005
【図５】
0005542904.tif 000006